(57)【要約】【課題】  クライアント信号処理回路数が増加しても、不要な消費電力の削減が可能な光伝送装置を提供する。【解決手段】  光−電気変換部と多重分離処理部と有する光伝送装置において、光−電気変換部と多重分離処理部とは、接続部を介して着脱可能であって、多重分離処理部は、信号処理部と、信号処理部へ電源を供給する電源制御部と、電源制御を制御するための判定信号を出力する判定部とを有する。【選択図】      図１
2014239378.tif 000002
【特許請求の範囲】
【請求項１】
光−電気変換部と多重分離処理部と有する光伝送装置において、
前記光−電気変換部と前記多重分離処理部とは、接続部を介して着脱可能であって、
前記多重分離処理部は、信号処理部と、前記信号処理部へ電源を供給する電源制御部と、
前記電源制御を制御するための判定信号を出力する判定部とを有することを特徴とする光伝送装置。
【請求項２】
前記判定部は、前記接続部の着脱状態を判定することを特徴とする請求項１記載の光伝送装置。
【請求項３】
前記判定部は、前記光−電気変換部と前記多重分離処理部とが前記接続部を介して接続していると判定した場合に前記信号処理部へ電源を供給し、前記光−電気変換部と前記多重分離処理部とが前記接続部を介して接続していないと判定した場合に前記信号処理部へ電源を供給しないように前記電源制御部に判定信号を出力することを特徴とする請求項２記載の光伝送装置。
【請求項４】
前記判定部は、前記光−電気変換部において光信号の有無を検出した結果により判定することを特徴とする請求項１記載の光伝送装置。
【請求項５】
前記判定部は、前記光−電気変換部において光信号が有ると判定した場合に前記信号処理部へ電源を供給し、前記光−電気変換部において光信号が無いと判定した場合に前記信号処理部へ電源を供給しないように前記電源制御部に判定信号を出力することを特徴とする請求項４記載の光伝送装置。
【発明の詳細な説明】
【技術分野】
【０００１】
本発明は、波長分割多重方式（ＷＤＭ：Ｗａｖｅｌｅｎｇｔｈ  Ｄｉｖｉｓｉｏｎ  Ｍｕｌｔｉｐｌｅｘｉｎｇ）を用いた光伝送装置に関する。
【背景技術】
【０００２】
光伝送装置として用いられる、多重化トランスポンダでは、複数のクライアント信号を多重化したり、多重化された信号を分離したりすることが行われている。近年、光伝送の需要が高まってきており、多重化トランスポンダに入力するクライアント信号の数は増大している。そこで、できる限り多くのクライアント信号を処理する多重化トランスポンダが求められている。
【０００３】
特許文献１には、バックプレーンに接続するドータカードの種類や数を変更する技術が開示されている。
【０００４】
また、特許文献２には、多重化トランスポンダへのクライアント信号を自動判別して、多重化及び分離処理のマッピングを自動化する技術が開示されている。
【０００５】
また、特許文献３には、供給電源が異なるオプションボードを同一のオプションボードで兼用するための誤接続防止機構に関する技術が開示されている。
【先行技術文献】
【特許文献】
【０００６】
【特許文献１】特開２００９−１５８５８４号公報
【特許文献２】特開２００８−２２７６４７号公報
【特許文献３】特開平１１−０２４８０２号公報
【発明の概要】
【発明が解決しようとする課題】
【０００７】
しかしながら、特許文献１−３では、クライアント信号の有無に関わらず多重化トランスポンダ側のクライアント信号処理回路が電力を消費してしまうという課題は解決できない。
【０００８】
そのため、多重化トランスポンダへのクライアント信号の入力数が増加すると不要な消費電力も増加してしまう。
【０００９】
本発明の目的は、多重化トランスポンダへのクライアント信号入力数が増加しても、不要な消費電力の増加を抑えることができる光伝送装置を提供することにある。
【課題を解決するための手段】
【００１０】
本発明は、光−電気変換部と多重分離処理部と有する光伝送装置において、光−電気変換部と多重分離処理部とは、接続部を介して着脱可能であって、多重分離処理部は、信号処理部と、信号処理部へ電源を供給する電源制御部と、電源制御を制御するための判定信号を出力する判定部とを有することを特徴としている。
【発明の効果】
【００１１】
本発明によれば、クライアント信号処理回路数が増加しても、不要な消費電力の増加を抑えることが可能になる。
【図面の簡単な説明】
【００１２】
【図１】本発明の第１の実施形態における光伝送装置の構成を示す図である。
【図２】本発明の第１の実施形態における光伝送装置の全体の構成を示す図である。
【図３】本発明の第１の実施形態における光伝送装置の詳細な具体例を示す図である。
【図４】本発明の第２及び第３の実施形態における光伝送装置の構成を示す図である。
【発明を実施するための形態】
【００１３】
以下、本発明の実施形態について図面を参照して説明する。
（第１の実施形態）
図１は、本発明の第１の実施形態における光伝送装置の構成を示す図である。
【００１４】
図１において、多重分離処理部１０は、電源制御部１１、実装判定部１２、クライアント信号処理部１３及び多重分離処理回路１７を有している。また、多重分離処理部１０は、第１の接続部１５と接続され、第２の接続部１６を介して、光−電気変換部１４と接続される構成になっている。第１の接続部１５と第２の接続部１６とを着脱可能に構成することで、信号処理部１０と光−電気変換部１４との間で信号の接続及び遮断が行われる。
【００１５】
図１では、光−電気変換部１４に光信号が入力されると、光信号は電気信号に変換され
クライアント信号処理部１３へ送出される。クライアント信号処理部１３からは、信号処理部１０内にある多重分離処理回路１７へ信号が送出される。クライアント信号処理部１３は、電源制御部１１のみから電源が供給されており、実装判定部１２の判定状態に応じて、電源がオンオフ制御される。
【００１６】
図２は、本発明の第１の実施形態における光伝送装置の全体構成を示す図である。図１で示した部分を複数個並べたものに相当する。
【００１７】
図２は、クライアント光信号の送受信機能を有するクライアント光インタフェース１−１〜１−ｎ（図１の、光−電気変換部１４に相当）と、多重分離処理を行う多重分離処理部２と、多重分離処理部２の電気信号をＷＤＭ光信号に変換するＷＤＭ光インタフェース３から構成されている。クライアント光インタフェース１−１〜１−ｎは挿入抜去可能であって、実装状態を検出可能な構成となっている。多重分離処理部２は、クライアント信号処理回路４−１〜４−ｎと、実装判定部５−１〜５−ｎと、電源制御部７−１〜７−ｎと、多重分離処理回路６を有している。多重分離処理回路６は１つだけ設けている。
【００１８】
クライアント信号処理回路４−１〜４−ｎは、クライアント光インタフェース１−１〜１−ｎからの信号を多重分離処理回路６へ出力するための情報を付加する。電源制御部７−１〜７−ｎは、クライアント信号処理回路４−１〜４−ｎへ電源供給するかどうかを制御する。電源制御部７−１〜７−ｎは、実装判定部５−１〜５−ｎによって、電源のオンオフが制御される。実装判定部５−１〜５−ｎは、クライアント光インタフェース１−１〜１−ｎからのクライアント光インタフェース実装情報によって、実装されているかどうかの判定を行う。
【００１９】
図３は、図１の実装判定部１２の具体的な構成例を示す図である。
【００２０】
図１及び図３を用いて、第１の実施形態の動作の説明を行う。
【００２１】
図３に、実装判定部１２の具体的な回路構成を示す。光−電気変換部１４の光−電気変換の回路構成は図示しない。実装判定部１２と光−電気変換部１４を第１の接続部１５と第２の接続部１６とを接続させることで、回路を接続させる。
【００２２】
実装判定部１２の内部には、電源ラインにプルアップされた抵抗があり、抵抗の片側（Ａ部）は電源制御部１１へ接続されている。第１の接続部１５と第２の接続部１６が接続されていない場合は、Ａ部は、電源に接続されているのでハイレベルとなっている。次に、第１の接続部１５と第２の接続部１６とを接続させると、Ａ部は、光−電気変換部１４に接続され、接地されるのでロウレベルとなる。
【００２３】
このように、第１の接続部１５と第２の接続部１６とを接続させることにより、ハイレベルとロウレベルが切り換り、接続状態が判別可能となる。尚、第１の接続部１５と第２の接続部１６とを接続させることにより、Ａ部のハイレベルとロウレベルが切り換るような回路構成であれば、いかなるものでもよい。
【００２４】
図１において、実装判定部１２の判別信号が、電源制御部１１へ入力されると、電源制御部１１は、クライアント信号処理部１３への電源の供給をオンオフ制御する。
【００２５】
従って、第１の接続部１５と第２の接続部１６とが接続されていない場合には、クライアント信号処理部１３の回路は、電力を消費することがなく消費電力の削減に有効である。
（第２の実施形態）
本発明の第２の実施形態について、図４を用いて説明する。
【００２６】
図４は、本発明の第２の実施形態における光伝送装置の構成を示す図である。
【００２７】
図４において、多重分離処理部２０には、電源制御部２１、クライアント信号処理部２３、実装判定部２２及び多重分離処理回路２７が備えられており、第１の接続部２５と第２の接続部２６を経て、光−電気変換部２４と接続可能に構成されている。第１の接続部２５と第２の接続部２６とを着脱可能に構成することで、多重分離処理部２０と光−電気変換部１４との間で信号の接続及び遮断が行われる。
【００２８】
図４では、光−電気変換部２４にクライアント光信号が入力されると、光信号は電気信号のデータに変換され、クライアント信号処理部２３へ送出される。クライアント信号処理部２３からは、多重分離処理部２０内にある多重分離処理回路２７へ信号が送出される。クライアント信号処理部２３は、電源制御部２１から電源が供給されており、実装判定部２２の判定状態に応じて、電源がオンオフ制御される。
【００２９】
光−電気変換部２４に光信号が入力されていて、第１の接続部２５と第２の接続部２６とが接続されていない状態から、第１の接続部２５と第２の接続部２６とが接続された状態へ移行した場合、光−電気変換部２４には、電源が供給されて動作を開始し、光検出信号を実装判定部２２へ送出する。すると、実装判定部２２では、実装されたと判定し、電源制御部２１へ電源供給をオンするよう動作する。
【００３０】
このように、図４において、実装判定部２２の判別信号が、電源制御部２１へ入力されると、電源制御部２１は、クライアント信号処理部２３への電源の供給をオンオフ制御する。
【００３１】
従って、第１の接続部２５と第２の接続部２６とが接続されていない場合には、クライアント信号処理部２３の回路は、電力を消費することがなく消費電力の削減に有効である。
（第３の実施形態）
本発明の第３の実施形態について、図４を用いて説明する。
【００３２】
図４において、多重分離処理部２０には、電源制御部２１、クライアント信号処理部２３、実装判定部２２及び多重分離処理回路２７が備えられており、第１の接続部２５と第２の接続部２６を経て、光−電気変換部２４と接続可能に構成されている。第１の接続部２５と第２の接続部２６とを着脱可能に構成することで、多重分離処理部２０と光−電気変換部１４との間で信号の接続及び遮断が行われる。
【００３３】
図４では、光−電気変換部２４に光信号が入力されると、光信号は電気信号のデータに変換されクライアント信号処理部２３へ送出される。クライアント信号処理部２３からは、多重分離処理部２０内にある多重分離処理回路２７へ信号が送出される。クライアント信号処理部２３は、電源制御部２１から電源が供給されており、実装判定部２２の判定状態に応じて、電源がオンオフ制御される。
【００３４】
第２の実施形態では光信号は常に入力されている。そのため光−電気変換部２４が第１の接続部２５と第２の接続部２６で多重分離処理部２０と接続されると、光検出信号が実装判定部２２に入力される。しかし本実施形態の光伝送装置では、常時光信号が入力されているとは限らない。従って光−電気変換部２４と多重分離処理部２０を接続したが光信号が入力されないという状態があり、その状態では光検出信号が実装判定部２２に入力されない。
【００３５】
第１の接続部２５と第２の接続部２６とが接続されていて、光−電気変換部２４に光信号が入力されていない状態から、光信号が光−電気変換部２４に入力されると、光−電気変換部２４で光信号を検出して、実装判定部２２へ検出結果を送出する。実装判定部２２の判別信号が電源制御部２１へ入力されると、電源制御部２１は、クライアント信号処理部２３への電源の供給をオンオフ制御する。
【００３６】
従って、光信号が光−電気変換部２４に入力されていない場合には、クライアント信号処理部２３の回路は、電力を消費することがなく消費電力の削減に有効である。
【００３７】
尚、本願発明は、上述の実施の形態に限定されるものではなく、本願発明の要旨を逸脱しない範囲で種々変更、変形して実施することが出来る。
【符号の説明】
【００３８】
１−１〜１−ｎ    クライアント光インタフェース
２    多重分離処理部
３    ＷＤＭ光インタフェース
４−１〜４−ｎ    クライアント信号処理回路
５−１〜５−ｎ    実装判定部
６    多重分離処理回路
７−１〜７−ｎ    電源制御部
１０    多重分離処理部
１１    電源制御部
１２    実装判定部
１３    クライアント信号処理部
１４    光−電気変換部
１５    第１の接続部
１６    第２の接続部
１７    多重分離処理回路
２０    多重分離処理部
２１    電源制御部
２２    実装判定部
２３    クライアント信号処理部
２４    光−電気変換部
２５    第１の接続部
２６    第２の接続部
２７    多重分離処理回路
【図１】
2014239378.tif 000003
【図２】
2014239378.tif 000004
【図３】
2014239378.tif 000005
【図４】
2014239378.tif 000006